(57)【要約】【課題】肌触りが良く羽毛の抜け出しを防止できる蒲団を提供する。【解決手段】表布地２の外周縁を裏面側に折り返して折り返し部３を形成する。表布地２の裏面側に裏布地５を対向させて外周縁を接着する。表布地２の表面の外周縁にヘム材１１の一側片部１２を接着する。裏布地５の表面の外周縁にヘム材１１の他側片部１４を接着する。表布地２および裏布地５の端部とヘム材１１の中央部１６の内側面との間に空隙部１７を形成する。空隙部１７により端部方向からの肌触りが向上する。表布地２および裏布地５との間から抜け出る羽毛を空隙部１７を介してヘム材１１が受け止める。表布地２および裏布地５の間からの羽毛の抜け出しを防止できる。【選択図】        図１
2004329668.tif 000002
【特許請求の範囲】
【請求項１】
第１の生地と、
この第１の生地の一主面における縁部に、一主面における縁部を対向させて取り付けられた第２の生地と、
これら第１の生地および第２の生地それぞれの縁部における面方向に沿った端部に対して間隙を介した状態で、これら第１の生地および第２の生地に幅方向における縁部がそれぞれ取り付けられた細長帯状の被覆地と
を具備したことを特徴とした生地製品。
【請求項２】
第１の生地と、
この第１の生地の一主面における縁部に、一主面における縁部を対向させて取り付けられた第２の生地と、
これら第１の生地および第２の生地それぞれの他主面における縁部、およびこれら縁部における面方向に沿った端部のそれぞれを覆った状態で、これら第１の生地および第２の生地に幅方向における縁部がそれぞれ取り付けられた細長帯状の被覆地と
を具備したことを特徴とした生地製品。
【請求項３】
被覆地は、第１の生地および第２の生地それぞれの縁部における面方向に沿った端部に対して間隙を介した状態で、これら第１の生地および第２の生地に幅方向における縁部がそれぞれ取り付けられた
ことを特徴とした請求項２記載の生地製品。
【請求項４】
第１の生地の一主面における縁部と、第２の生地の一主面における縁部とは接着されている
ことを特徴とした請求項１ないし３いずれか記載の生地製品。
【請求項５】
第１の生地の一主面における縁部と、第２の生地の一主面における縁部とは縫製されている
ことを特徴とした請求項１ないし３いずれか記載の生地製品。
【発明の詳細な説明】
【０００１】
【発明の属する技術分野】
本発明は、第１の生地に第２の生地が取り付けられた生地製品に関する。
【０００２】
【従来の技術】
従来、この種の生地製品としての装寝具は、第１の生地である表布地の縁部と、第２の生地である裏布地の縁部とを突き合わせた間にＵ字状に折り曲げられた介在布の中央部が介在されている。また、この介在布の表面側の間には、飾りテープの基端側が挟み込まれている。そして、これら表布地、介在布、飾りテープおよび裏布地間を縫い糸にて縫製するとともに、これら表布地および裏布地間から突出した介在布の両側縁を表布地および裏布地それぞれの表面に熱接着性フィルムにて貼り付けて固定させている（例えば、特許文献１参照。）。
【０００３】
【特許文献１】
特開２００３−２４２００号公報（第３−４頁、図１）
【０００４】
【発明が解決しようとする課題】
しかしながら、上述の装寝具では、表布地と裏布地とを縫い合わせた部分に介在布および飾りテープのそれぞれが介在されているため、これら表布地と裏布地とを縫い合わせた部分が固くなりやすく、端部方向からの肌触りが余り良くない。また、表布地の縁部と裏布地の縁部とを突き合わせて、これら表布地と裏布地とを介在布および飾りテープを介して縫い合わせて、これら表布地および裏布地を縫い合わせた部分の表面側に介在布を貼り付けている。このため、これら表布地と裏布地との間から、これら表布地と裏布地との間に充填される羽毛が抜け出やすいという問題を有している。
【０００５】
本発明は、このような点に鑑みなされたもので、肌触りが良く収容物の抜け出しを防止できる生地製品を提供することを目的する。
【０００６】
【課題を解決するための手段】
請求項１記載の生地製品は、第１の生地と、この第１の生地の一主面における縁部に、一主面における縁部を対向させて取り付けられた第２の生地と、これら第１の生地および第２の生地それぞれの縁部における面方向に沿った端部に対して間隙を介した状態で、これら第１の生地および第２の生地に幅方向における縁部がそれぞれ取り付けられた細長帯状の被覆地とを具備したものである。
【０００７】
そして、第１の生地の一主面における縁部に、第２の生地の一主面における縁部を対向させて取り付ける。さらに、これら第１の生地および第２の生地それぞれの縁部における面方向に沿った端部に対して間隙を介した状態で、これら第１の生地および第２の生地に被覆地の幅方向における縁部をそれぞれ取り付ける。この結果、被覆地と第１の生地および第２の生地それぞれの端部と間の間隙によって端部方向からの肌触りが向上する。また、これら第１の生地と第２の生地との間に、例えば羽毛などの収容物を収容させた場合には、これら第１の生地および第２の生地それぞれの端部と被覆地との間の間隙によって、これら第１の生地および第２の生地それぞれの端部から抜け出す収容物を受け止める。このため、これら第１の生地および第２の生地それぞれの端部からの収容物の抜け出しを防止できる。
【０００８】
請求項２記載の生地製品は、第１の生地と、この第１の生地の一主面における縁部に、一主面における縁部を対向させて取り付けられた第２の生地と、これら第１の生地および第２の生地それぞれの他主面における縁部、およびこれら縁部における面方向に沿った端部のそれぞれを覆った状態で、これら第１の生地および第２の生地に幅方向における縁部がそれぞれ取り付けられた細長帯状の被覆地とを具備したものである。
【０００９】
そして、第１の生地の一主面における縁部に、第２の生地の一主面における縁部を対向させて取り付ける。さらに、これら第１の生地および第２の生地それぞれの他主面における縁部、およびこれら縁部における面方向に沿った端部のそれぞれを被覆地にて覆った状態で、これら第１の生地および第２の生地に被覆地の幅方向における縁部をそれぞれ取り付ける。この結果、端部方向からの肌触りが被覆地により向上するとともに、これら第１の生地と第２の生地との間に、例えば羽毛などの収容物を収容させた場合には、これら第１の生地および第２の生地それぞれの縁部から抜け出す収容物を被覆地が受け止める。よって、これら第１の生地および第２の生地それぞれの縁部からの収容物の抜け出しを防止できる。同時に、第１の生地の縁部および第２の生地の端部間の取り付け部分が被覆地によって外部から見えなくなるから、見た目が向上する。さらに、これら第１の生地と第２の生地との取り付け部分を被覆地にて覆ったことにより、これら第１の生地と第２の生地との間の取り付け強度が向上する。
【００１０】
請求項３記載の生地製品は、請求項２記載の生地製品において、被覆地は、第１の生地および第２の生地それぞれの縁部における面方向に沿った端部に対して間隙を介した状態で、これら第１の生地および第２の生地に幅方向における縁部がそれぞれ取り付けられたものである。
【００１１】
そして、第１の生地および第２の生地それぞれの縁部における面方向に沿った端部に対して間隙を介した状態で、これら第１の生地および第２の生地に被覆地の幅方向における縁部をそれぞれ取り付ける。この結果、被覆地と第１の生地および第２の生地それぞれの端部と間の間隙によって端部方向からの肌触りが向上する。また、これら第１の生地および第２の生地それぞれの端部と被覆地との間の間隙によって、これら第１の生地および第２の生地それぞれの端部から抜け出す収容物を受け止める。このため、これら第１の生地および第２の生地それぞれの端部からの収容物の抜け出しを防止できる。
【００１２】
請求項４記載の生地製品は、請求項１ないし３いずれか記載の生地製品において、第１の生地の一主面における縁部と、第２の生地の一主面における縁部とは接着されているものである。
【００１３】
そして、第１の生地の一主面における縁部と、第２の生地の一主面における縁部とを接着する。この結果、これら第１の生地の縁部と第２の生地の縁部との取り付けを容易にできる。また、これら第１の生地の縁部と第２の生地の縁部との間を面接触にて取り付けることができるので、これら第１の生地の縁部と第２の生地の縁部との間からの収容物の抜け出しをより防止できる。
【００１４】
請求項５記載の生地製品は、請求項１ないし３いずれか記載の生地製品において、第１の生地の一主面における縁部と、第２の生地の一主面における縁部とは縫製されているものである。
【００１５】
そして、第１の生地の一主面における縁部と、第２の生地の一主面における縁部とを縫製する。この結果、これら第１の生地の縁部と第２の生地の縁部との間の取り付けをより滑らかにできるので、これら第１の生地の縁部および第２の生地の縁部での肌触りをより向上できる。また、これら第１の生地の縁部と第２の生地の縁部との間の取り付けをより強固にできるので、これら第１の生地の端部と第２の生地の端部との間の取り付け強度をより向上できる。
【００１６】
【発明の実施の形態】
以下、本発明の生地製品の第１の実施の形態の構成を図１を参照して説明する。
【００１７】
図１において、１は生地製品としての蒲団で、この蒲団１は、例えば内部に収容物として図示しない羽毛が大量に収容された羽毛蒲団などの装寝具である。そして、この蒲団１は、第１の生地としての矩形シート状の表布地２を備えている。この表布地２は、一般的に蒲団１の一主面側である表面側に使用される布材である。
【００１８】
また、この表布地２の外周縁は、この表布地２の他主面側である裏面側に向けて折り返されて折り返し部３とされている。この折り返し部３は、表布地２の外周縁に沿って設けられている。また、この折り返し部３は、表布地２の長手方向および幅方向のそれぞれに沿って形成されている。
【００１９】
さらに、この表布地２の裏面側には、この表布地２に折り返し部３を形成させた状態で、第２の生地としての矩形シート状の裏布地５が対向されて取り付けられている。この裏布地５は、表布地２と同様の布材であり、この表布地２と等しい厚さ寸法を有している。また、この裏布地５は、折り返し部３が形成された後の表布地２に略等しい大きさに形成されている。
【００２０】
なお、この裏布地５は、この裏布地５の長手方向および幅方向のそれぞれにおける縁部を、折り返し部３が形成された後の表布地２の長手方向および幅方向それぞれの縁部に対向させた状態で、この表布地２の裏面側に取り付けられている。さらに、この裏布地５と表布地２との間には、大量の羽毛が充填されて収容されている。
【００２１】
ここで、この裏布地５の裏面側の外周縁と表布地２の折り返し部３の基端側との間には、細長テープ状の第１の接着テープ６が貼り付けられている。この第１の接着テープ６は、例えばホットメルトなどであり、加熱により溶解して表布地２の折り返し部３の基端側の縁部と裏布地５の縁部とを接着させる。また、この第１の接着テープ６は、表布地２の折り返し部３の幅寸法の約２分の１程度の幅寸法を有している。さらに、この第１の接着テープ６は、表布地２の折り返し部３の基端縁、および裏布地５の外周縁のそれぞれに沿って貼り付けられている。
【００２２】
そして、この第１の接着テープ６にて貼り合わされて接着された表布地２および裏布地５それぞれの外周縁には、被覆地としての細長帯状のヘム材１１が取り付けられている。このヘム材１１は、略Ｕ字状に幅方向における中央部が湾曲されており、第１の接着テープ６にて接着された表布地２および裏布地５それぞれの外周縁を、この外周縁に沿って被覆している。また、このヘム材１１は、表布地２および裏布地５それぞれの約２倍程度の厚さ寸法を有している。
【００２３】
具体的に、このヘム材１１の幅方向における縁部である一側部に位置する一側片部１２は、この一側片部１２の裏面側の先端縁に沿って貼り付けられた第２の接着テープ１３が、表布地２の表面側の外周縁に沿って貼り付けられて、この表布地２の表面側の縁部に接着されている。また、このヘム材１１の幅方向における縁部である他側部に位置する他側片部１４は、この他側片部１４の裏面側の先端縁に沿って貼り付けられた第３の接着テープ１５が、裏布地５の表面側の外周縁に沿って貼り付けられて、この裏布地５の表面側の縁部に接着されている。
【００２４】
ここで、これら第２の接着テープ１３および第３の接着テープ１５のそれぞれは、第１の接着テープ６の幅寸法に等しい幅寸法を有する細長テープ状に形成されている。また、これら第２の接着テープ１３および第３の接着テープ１５のそれぞれもまた、第１の接着テープ６と同様に、例えばホットメルトなどであり、加熱により溶解してヘム材１１と表布地２または裏布地５とを接着させる。
【００２５】
さらに、このヘム材１１の一側片部１２および他側片部１４のそれぞれは、第２の接着テープ１３および第３の接着テープ１５それぞれの幅寸法の約２倍の幅寸法を有している。また、このヘム材１１の幅方向における中央部１６は、第２の接着テープ１３、表布地２、この表布地２の折り返し部３、第１の接着テープ６、裏布地５および第３の接着テープ１５それぞれの厚さ寸法を加えた程度の幅寸法を有している。なお、このヘム材１１の中央部１６は、このヘム材１１の一側片部１２と他側片部１４との間に形成されている。
【００２６】
この結果、このヘム材１１の内側面と、表布地２および裏布地５の面方向に沿った端部との間には、第１の接着テープ６の幅寸法に略等しい幅寸法の間隙としての空隙部１７が形成される。言い換えると、このヘム材１１は、表布地２および裏布地５それぞれの面方向に沿った端部に対して空隙部１７を介した状態で、これら表布地２および裏布地５それぞれの縁部を覆って被覆するように、これら表布地２および裏布地５それぞれの縁部に取り付けられている。ここで、この空隙部１７は、ヘム材１１の内周面と表布地２の端部および裏布地５の端部との間に形成される空間部であり、これら表布地２と裏布地５とを貼り合わせた際の厚さ寸法に略等しい幅寸法を有している。
【００２７】
次に、上記第１の実施の形態の組立て動作について説明する。
【００２８】
まず、表布地２の外周縁を、この表布地２の外周縁に沿って裏面側に向けて折り返して、この表布地２に折り返し部３を形成する。
【００２９】
次いで、この表布地２の裏面側に裏布地５の裏面側を対向させるとともに、この裏布地５の外周縁を表布地２の外周縁に合わせて重ね合わせる。
【００３０】
この状態で、この表布地２の折り返し部３の表面側の基端縁と、裏布地５の裏面側の外周縁との間に第１の接着テープ６を介在させる。
【００３１】
そして、この第１の接着テープ６を加熱して溶解させて、この第１の接着テープ６にて表布地２の裏面側に裏布地５を接着させる。
【００３２】
さらに、表布地２の表面側の外周縁に沿ってヘム材１１の一側片部１２の裏側を重ね合わせるとともに、このヘム材１１の他側片部１４の裏側を裏布地５の表面側の外周縁に沿って重ね合わせる。
【００３３】
このとき、このヘム材１１の中央部１６を、表布地２および裏布地５の外周縁から離間させて、これら表布地２および裏布地５それぞれの端部とヘム材１１の中央部１６の内側面との間に空隙部１７を形成させる。
【００３４】
この状態で、ヘム材１１の一側片部１２の裏面側の先端側と表布地２の表面側の周縁部との間に第２の接着テープ１３を介在させるとともに、このヘム材１１の他側片部１４の裏面側の先端側と裏布地５の表面側の周縁部との間に第３の接着テープ１５を介在させる。
【００３５】
そして、これら第２の接着テープ１３および第３の接着テープ１５のそれぞれを加熱して溶解させて、これら第２の接着テープ１３および第３の接着テープ１５にてヘム材１１の一側片部１２を表布地２の表面側の外周縁に接着させるとともに、このヘム材１１の他側片部１４を裏布地５の表面側の外周縁に接着させる。
【００３６】
上述したように、上記第１の実施の形態によれば、第１の接着テープ６にて接着された表布地２および裏布地５それぞれの端部からヘム材１１の中央部１６の内側面を離間させて、この表布地２の表面側にヘム材１１の一側片部１２を第２の接着テープ１３にて接着させるとともに、このヘム材１１の他側片部１４を裏布地５の表面側に第３の接着テープ１５にて接着させて、これら表布地２および裏布地５それぞれの端部をヘム材１１にて覆った。
【００３７】
この結果、これら表布地２および裏布地５それぞれの端部とヘム材１１の内側面との間に空隙部１７が形成される。よって、このヘム材１１への端部方向からの衝撃を、表布地２および裏布地５それぞれの端部へと直接伝えることなく、これら表布地２および裏布地５それぞれの周縁部とヘム材１１の内側面との間の空隙部１７にて吸収できるから、このヘム材１１の端部方向からの肌触りを向上できる。
【００３８】
また、これら表布地２および裏布地５それぞれの端部とヘム材１１の内側面との間に空隙部１７を形成した。この結果、これら表布地２および裏布地５との間に収容させた羽毛が、これら表布地２および裏布地５それぞれの外周縁部から抜け出す際に、これら表布地２および裏布地５とヘム材１１との間の空隙部１７を介して、このヘム材１１の内側面にて受け止められる。このため、これら表布地２および裏布地５それぞれの外周縁部からの羽毛の抜け出しを防止できる。
【００３９】
さらに、表布地２の外周縁を裏側に折り返して折り返し部３を形成し、この折り返し部３を裏布地５の裏面側の外周縁に接着させた。この結果、これら表布地２および裏布地５それぞれの端部から抜け出しそうな羽毛が、表布地２の折り返し部３により受け止められる。このため、これら表布地２および裏布地５の外周縁部からの羽毛の抜け出しを簡単な構成でより確実に防止できる。
【００４０】
また、表布地２および裏布地５の間を接着させる第１の接着テープ６と、ヘム材１１の一側片部１２および表布地２の間を接着させる第２の接着テープ１３と、ヘム材１１の他側片部１４および裏布地５の間を接着させる第３の接着テープ１５とのそれぞれの幅寸法を等しくした。このため、これら表布地２と裏布地５との間の第１の接着テープ６による接着部分が、ヘム材１１の一側片部１２および他側片部１４によって覆われる。
【００４１】
この結果、このヘム材１１の一側片部１２および他側片部１４によって、表布地２と裏布地５との間の第１の接着テープ６による接着部分が外部から見えなくなる。したがって、これら表布地２および裏布地５の間の第１の接着テープ６による接着部分の見た目を向上できる。同時に、これら表布地２および裏布地５の間の接着部分をヘム材１１にて覆ったことにより、これら表布地２および裏布地５の間の接着強度をより向上できる。
【００４２】
また、表布地２と裏布地５とを第１の接着テープ６にて接着するとともに、ヘム材１１の一側片部１２と表布地２の表面側とを第２の接着テープ１３にて接着し、さらに、このヘム材１１の他側片部１４と裏布地５とを第３の接着テープ１５にて接着したため、これら表布地２、裏布地５およびヘム材１１それぞれの間の取り付け作業を容易にできる。
【００４３】
さらに、これら表布地２、裏布地５およびヘム材１１それぞれの間を第１の接着テープ６、第２の接着テープ１３および第３の接着テープ１５のそれぞれにて接着させたため、これら表布地２、裏布地５およびヘム材１１それぞれの間を面接触にて接着できる。このため、これら表布地２および裏布地５それぞれの外周縁部からの羽毛の抜け出しを簡単な構成でより確実に防止できる。
【００４４】
次に、本発明の第２の実施の形態を図２を参照して説明する。
【００４５】
この図２に示す蒲団１は、基本的には図１に示す蒲団１と同様であるが、表布地２の外周縁部と裏布地５の外周縁部との間を糸２１にて千鳥状に縫製したものである。そして、これら表布地２と裏布地５とは等しい大きさに形成されており、これら表布地２および裏布地５の外周縁から所定距離内側に離間された位置が糸２１にて直線状に縫製されている。また、これら表布地２および裏布地５間は、これら表布地２および裏布地５それぞれの外周縁に沿って縫製されている。
【００４６】
さらに、ヘム材１１の内側面には、このヘム材１１の大きさに略等しい細長矩形テープ状の第４の接着テープ２２が貼り付けられている。この第４の接着テープ２２は、ヘム材１１の幅寸法に略等しい幅寸法を有しており、このヘム材１１の一側片部１２、中央部１６および他側片部１４それぞれの内側面において幅方向に亘って貼り付けられている。また、このヘム材１１の中央部１６の内周面と表布地２および裏布地５それぞれの端部との間には、空隙部１７が形成されている。この空隙部１７は、表布地２および裏布地５の間を縫製した糸２１と、これら表布地２および裏布地５それぞれの外周縁との間の距離の約２分の１程度の幅寸法を有している。
【００４７】
また、このヘム材１１の一側片部１２は、表布地２の表面側の糸２１にて縫製した部分を覆うように、この表布地２の表面側に第４の接着テープ２２にて貼り付けられている。同様に、このヘム材１１の他側片部１４は、裏布地５の表面側の糸２１にて縫製した部分を覆うように、この裏布地５の表面側に第４の接着テープ２２にて貼り付けられている。
【００４８】
したがって、このヘム材１１にて表布地２および裏布地５の縫製部分を覆いつつ、これら表布地２および裏布地５それぞれの端部とヘム材１１の中央部１６の内側面との間に空隙部１７を形成させたことにより、上記第１の実施の形態と同様の作用効果を奏することができる。
【００４９】
さらに、表布地２と裏布地５とを糸２１にて縫製させたので、これら表布地２と裏布地５との間の接続部分をより滑らかにできる。よって、これら表布地２および裏布地５それぞれの端部での肌触りをより向上できる。また、これら表布地２および裏布地５間を縫製したことにより、これら表布地２および裏布地５間の取り付けを簡単な構成でより強固にできるので、これら表布地２および裏布地５との間の接続強度をより向上できる。
【００５０】
なお、上記各実施の形態では、表布地２と裏布地５との間に羽毛を収容させた蒲団１について説明したが、これら表布地２と裏布地５との間に羽毛以外の綿などを収容させた蒲団１であってもよい。また、表布地２および裏布地５は、布地以外の合成樹脂製のシートなどの生地であってもよい。さらに、表布地２と裏布地５との間に羽毛などを収容させた蒲団１以外の寝具や衣類などの生地製品であっても対応させて用いることができる。
【００５１】
また、表布地２の外周縁に折り返し部３を設けたが、必要のない場合には、この表布地２の外周縁に折り返し部３を設けなくてもよく、さらには、裏布地５の外周縁を表布地２側に向けて折り返して、この裏布地５の外周縁に折り返し部３を設けてもよい。
【００５２】
【発明の効果】
請求項１記載の生地製品によれば、第１の生地の一主面における縁部に、第２の生地の一主面における縁部を対向させて取り付ける。さらに、これら第１の生地および第２の生地それぞれの縁部における面方向に沿った端部に対して間隙を介した状態で、これら第１の生地および第２の生地に被覆地の幅方向における縁部をそれぞれを取り付ける。この結果、被覆地と第１の生地および第２の生地それぞれの端部と間の間隙によって端部方向からの肌触りを向上できる。また、第１の生地と第２の生地との間に、例えば羽毛などの収容物を収容させた場合には、これら第１の生地および第２の生地それぞれの端部と被覆地との間の間隙によって、これら第１の生地および第２の生地それぞれの端部から抜け出す収容物を受け止めることができるから、これら第１の生地および第２の生地それぞれの端部からの収容物の抜け出しを防止できる。
【００５３】
請求項２記載の生地製品によれば、第１の生地の一主面における縁部に、第２の生地の一主面における縁部を対向させて取り付ける。さらに、これら第１の生地および第２の生地それぞれの他主面における縁部、およびこれら縁部における面方向に沿った端部のそれぞれを被覆地にて覆った状態で、この被覆地の幅方向における縁部を第１の生地および第２の生地にそれぞれ取り付ける。この結果、端部方向からの肌触りを被覆地にて向上できるとともに、これら第１の生地と第２の生地との間に、例えば羽毛などの収容物を収容させた場合には、これら第１の生地および第２の生地それぞれの端部から抜け出す収容物を被覆地にて受け止めることができる。このため、これら第１の生地および第２の生地それぞれの縁部からの収容物の抜け出しを防止できる。また、第１の生地の縁部および第２の生地の端部間の取り付け部分が被覆地によって外部から見えなくなるから、見た目を向上できるとともに、これら第１の生地と第２の生地との間の取り付け強度を向上できる。
【００５４】
請求項３記載の生地製品によれば、請求項２記載の生地製品の効果に加え、第１の生地および第２の生地それぞれの縁部における面方向に沿った端部に対して間隙を介した状態で、これら第１の生地および第２の生地に被覆地の幅方向における縁部をそれぞれ取り付ける。この結果、被覆地と第１の生地および第２の生地それぞれの端部と間の間隙によって端部方向からの肌触りを向上できる。また、これら第１の生地および第２の生地それぞれの端部と被覆地との間の間隙によって、これら第１の生地および第２の生地それぞれの端部から抜け出す収容物を受け止めることができる。このため、これら第１の生地および第２の生地それぞれの端部からの収容物の抜け出しを防止できる。
【００５５】
請求項４記載の生地製品によれば、請求項１ないし３いずれか記載の生地製品の効果に加え、第１の生地の一主面における縁部と、第２の生地の一主面における縁部とを接着することにより、これら第１の生地の縁部と第２の生地の縁部との取り付けを容易にできるとともに、これら第１の生地の縁部と第２の生地の縁部との間を面接触にて取り付けることができるので、これら第１の生地の縁部と第２の生地の縁部との間からの収容物の抜け出しをより防止できる。
【００５６】
請求項５記載の生地製品によれば、請求項１ないし３いずれか記載の生地製品の効果に加え、第１の生地の一主面における縁部と、第２の生地の一主面における縁部とを縫製することにより、これら第１の生地の縁部と第２の生地の縁部との間の取り付けをより滑らかにできるので、これら第１の生地の縁部および第２の生地の縁部での肌触りをより向上できるとともに、これら第１の生地の縁部と第２の生地の縁部との間の取り付けをより強固にできるので、これら第１の生地の端部と第２の生地の端部との間の取り付け強度をより向上できる。
【図面の簡単な説明】
【図１】本発明の生地製品の第１の実施の形態を示す説明断面図である。
【図２】本発明の第２の実施の形態の生地製品を示す説明断面図である。
【符号の説明】
１    生地製品としての蒲団
２    第１の生地としての表布地
５    第２の生地としての裏布地
１１    被覆地としてのヘム材
１７    間隙としての空隙部
【図１】
2004329668.tif 000003
【図２】
2004329668.tif 000004